【事件の表示】
　特許第２７３８６２７号「インクジェットプリンタ」の特許に対する特許異議の申立てについて、次のとおり決定する。
【結論】
　訂正を認める。
　特許第２７３８６２７号の特許を維持する。
【理由】
Ｉ．手続の経緯
　本件特許第２７３８６２７号の発明は、平成４年１２月１８日に出願され、平成１０年１月１６日にその特許権の設定の登録がなされ、キヤノン株式会社より特許異議の申し立てがなされ、取消理由通知がなされ、その指定期間内である平成１１年４月２２日に特許請求の範囲について訂正請求がなされたものである。
ＩＩ．訂正の適否
（１）訂正の内容
　特許権者が求めている訂正の内容は以下のとおりである（訂正された文言にアンダーラインを付した。）。
　特許請求の範囲の
「【請求項１】印字ヘッドにより印字された用紙の印字面と接触して当該用紙を排紙ローラに押圧し当該排紙ローラと協働して排紙方向に送り可能な複数個の拍車と、各拍車を排紙ローラより退避可能なるように回転支持する第１軸受部と、長尺保持部材にローラ支軸を介して回転支持され各拍車と接触して当該拍車に付着したインクを除去する複数個のクリーニングローラとを有するインクジェットプリンタにおいて、
当該第１軸受部は拍車を排紙ローラより退避可能なるように回転支持する溝部を有し
を
「【請求項１】印字ヘッドにより印字された用紙の印字面と接触して当該用紙を排紙ローラに押圧し当該排紙ローラと協働して排紙方向に送り可能な複数個の拍車と、各拍車を排紙ローラより退避可能なるように回転支持する第１軸受部と、長尺保持部材にローラ支軸を介して回転支持され各拍車と接触して当該拍車に付着したインクを除去する複数個のクリーニングローラとを有するインクジェットプリンタにおいて、
当該第１軸受部は拍車を排紙ローラより退避可能なるように回転支持する溝部を有し、ローラ支軸を各クリーニングローラが独立して回転可能なるように分割し、かつ分割されたローラ支軸を各クリーニングローラが各拍車と接触した状態を維持しつつ追従移動可能なるように回転支持する第２軸受部を長尺保持部材に設けたことを特徴とするインクジェットプリンタ。」
に訂正する。
（２）訂正の目的の適否、新規事項の有無及び拡張・変更の存否
　上記（１）の訂正事項に関連する記載として、願書に添付した明細書（以下「特許明細書」という。）の発明の詳細な説明には、「各第１軸受部２２の溝部２３の傾斜角度は、各拍車１２が自重により排紙ローラ１１と所定圧力で接触し、かつ排紙ローラ１１より円滑に退避可能なるように選択されている。」（本件特許公報第３頁第５欄第８〜１１行）と記載されているから、各拍車を回転支持する第１軸受部が溝部を有することは特許明細書に記載されていると認める。
　そうすると、上記の訂正は、特許明細書に記載された事項の範囲内において、第１軸受部を限定したものといえるから、特許請求の範囲の減縮に該当するものであり、新規事項の追加に該当しなく、また、実質上特許請求の範囲を拡張し、変更するものでもない。
（３）独立特許要件
（本件発明）
　訂正明細書の請求項１に係る発明（以下、「本件発明」という。）は、上記（１）訂正事項の特許請求の範囲の請求項１に記載された事項により特定されるとおりのものである。
（引用刊行物記載の発明）
　本件発明に対して当審が取消理由通知において引用した刊行物（特開平３−１９３４８０号公報）には、「この拍車は、一般に記録紙搬送経路において例えば排紙ローラと共に記録ヘッドの下流側に配設され、この排紙ローラと協働して記録紙を搬送する。すなわち、記録紙は排紙ローラと拍車との間に挟み込まれて搬送されるものであり、この搬送において、拍車は記録紙を排紙ローラに押圧し、回転駆動される排紙ローラはこの押圧によって記録紙との間に生じる摩擦力により記録紙の搬送を行う。この際、拍車は記録紙の記録がなされた側、すなわち、インクが付着した側に当接するように構成されている。それ故、拍車の形状は、歯車状で、かつ薄い板状をなし、記録紙と接する部分をでき得る限り小さくすることによって、歯車に付着する可能性のあるインクの記録紙や他への影響を極力小さなものとしている。」（第２頁右上欄第３〜１７行）、「インクジェット記録装置が用いられる環境が比較的高湿度の場合、インク定着がそれ程促進されないうちにその部分が拍車と当接することがあり、これによって拍車には比較的多量のインクが付着して記録紙の他の部分等を汚す可能性が大となる。また、グラフィックのような画素が高密度の画像やカラー画像を記録する場合には記録紙に打ち込まれるインクが比較的多くなるため、上記と同様の問題を生ずる。
さらに、最近の特にバブルジェット記録ヘッドの小型化に伴なって、記録装置自体も小型化の傾向にあり、この場合搬送経路も縮小されるためインク定着は促進されがたい。このような問題点を解決するため、本願人は、拍車にインク吸収体からなるクリーナを当接させ、拍車に付着したインクを吸収する構成を先に提案している。」（第２頁右上欄末行〜左下欄第１５行）、「第１図は、本発明の一実施例に関するインクジェット記録装置の斜視図であり、装置カバーをはずした状態を示している。第１図において、１はチップ形態の記録ヘッド、２は記録ヘッド１を搭載し記録ヘッド１による走査のための移動を可能にするキャリッジである。」（第３頁左下欄第４〜１０行）、「記録ヘッド１は、その走査移動に伴なって対向する記録紙６の記録領域にインク滴を吐出することによって１ライン分の記録を行ない、この記録と上記１ライン分の記録紙搬送とにより順次１ライン毎の記録が行なわれ、文字、画像等が形成される。記録のなされた記録紙６は、その搬送に伴なって記録紙搬送経路の上方に設けられた排紙ローラ４と拍車４０Ａ，４０Ｂとによって不図示の排紙トレイ上へ排紙される。一対の拍車４０Ａ，４０Ｂは、排紙ローラ４に対応して５対設けられ、それぞれの拍車対においてはこれら拍車間に拍車クリーナが間挿される。なお、これら拍車および拍車クリーナを支持する部材は第１図において省略されている。また、拍車４０Ａは排紙ローラ４に記録紙を介して押圧力を作用し、拍車４０Ｂはプラテン７との間で記録紙の搬送経路を規制するように構成されている。」（第４頁左下欄第５行〜右下欄第１行）、「第２図は、第１図に示した装置において、この装置のカバーの一部であるトップカバーが装着された状態を示す模式的斜視図であり、特に拍車および拍車クリーナの部分を詳細に示している。第２図において、５１は本例装置のカバーの一部をなすトップカバーであり、４３は記録紙搬送経路において配列する一対の拍車のうち上流側に位置する拍車４０Ｂを回動可能に軸支する拍車軸である。拍車軸４３は、第３図において詳述されるように、トップカバー５１の裏面に設けられた軸支部材５１Ａに軸支される。・・・下流側の拍車４０Ａと拍車クリーナ４１は、第３図および第４図にて詳述されるように、拍車ホルダ４２によって回動自在に支持され、また、拍車ホルダ４２は、拍車軸４３によって回動自在に軸支され、かつトップカバー５１とホルダ４２との間に配設されるコイルばね４４によって排紙ローラ４の方向に付勢される。この付勢によって、拍車４０Ａは記録紙を介して排紙ローラ４を押圧する。トップカバー５１は、これの裏面側両端に設けられるボス留め５１Ｂおよび上述の拍車軸４３を介して記録装置本体に装着される。」（第５頁右上欄第１８行〜右下欄第６行）、「第３図および第４図は、第１図および第２図に示した拍車および拍車クリーナの支持構成を詳細に示す斜視図である。まず、第３図に示されるように、拍車クリーナ４１は、その回動軸４１Ａをホルダ４２の軸穴４２Ｃに嵌入することによって、ホルダ４２に装着される。軸穴４２Ｃは、回動軸４１Ａの径より大きなばか穴になっており、かつ、軸４１Ａを嵌入する際の嵌入口は軸４１Ａの径よりわずかに小さなものとなっている。これにより、拍車クリーナ４１は、軸穴４２Ｃの大きさによって許容される範囲内でその回動軸を変位させることができるが、ホルダ４２から離脱することはない。排紙ローラ４と対向する下流側の拍車４０Ａは、その軸部分がホルダ４２の拍車留め部４２Ｂに回動可能に接嵌合される。」（第６頁左上欄第３〜１７行）、「第４図に示されるように、まず、拍車軸４３を、トップカバー５１の裏面側両端に立設された軸支部材５１Ａの軸留め部５１０Ａに嵌合させる。これと共に、第３図に詳細に示されるように、拍車ホルダ４２に形成された突起部４２Ｄをその弾性力に逆らって、トップカバー５１の裏面側に立設される係止部材５１Ｃの係止部５１０Ｃに挿入させる。これにより、拍車ホルダ４２のトップカバー５１における位置、すなわち、拍車４０Ａ，４０Ｂおよび拍車クリーナ４１のトップカバー５１における位置が定まる。このとき、拍車ホルダ４２は、その突起部４２Ｄが係止部５１０Ｃ内を移動できる範囲内で、拍車軸４３を回動軸として回動することができる。しかしながらトップカバー５１が装置本体に装着された際には、上述したように、ばね４４によってその回動力向が一方向に付勢され、これによって拍車４０Ａが排紙ローラ４を押圧する。」（第６頁右上欄第４〜末行，）、「第８図は、第１図および第２図に示した記録装置の側断面図であり、特に拍車４０Ａ，４０Ｂおよび拍車クリーナ４１について詳細に示している。第２図，第３図等で説明してきたように、拍車４０Ａ，４０Ｂは拍車ホルダ４２によってその位置が固定され、また、これら拍車間に拍車クリーナ４１が、同様に拍車ホルダ４２によって、保持される。この構成によれば、排紙ローラ４が回転駆動されると、これに押圧、係合する拍車４０Ａが回転し、この回転は拍車４０Ａ，４０Ｂの双方に係合する拍車クリーナ４１の回転を介して拍車４０Ｂに伝達され、拍車４０Ｂも回転する。」（第７頁左上欄第２〜１３行）、「拍車４０Ａ，４０Ｂと拍車クリーナ４１との係合のための付勢力は、拍車クリーナ４１の自重によって得る。すなわち、拍車クリーナ４１の回動軸４１Ａがホルダ４２の軸穴４２Ｃを係合することにより、クリーナ４１の回転が軸支されるが、軸穴４２Ｃは回動軸４１Ａに対してばか穴形状であるため、この範囲内で回動軸４１Ａの位置は変位可能である。従って、回動軸４１Ａの位置は、その自重により付勢を得た拍車クリーナ４１と拍車４０Ａ，４０Ｂとの係合によって定まる。換言すれば、拍車クリーナ４１と拍車４０Ａ，４０Ｂとの係合における付勢力は、もっぱら拍車クリーナ４１の自重のみによって得る。以上の構成によれば、上記付勢力を生じさせるため、ばね等の特別の部材を必要とせず、また、クリーナ４１のどの円周上でも係合状態となるため拍車クリーナ４１の径の精度をそれほど高くしなくても済み、これら構成のためのコストを低く押えることができる。」（第７頁右上欄第２〜１９行）及び「第９図は、第８図と同様の図である。第９図に示すように、軸穴４２Ｃは、回動軸４１Ａと摺動および回動可能に嵌合する長穴形状である。この長穴形状の長手方向の平行な線は、それぞれ拍車４０Ａと同心の円周の一部をなす。また、拍車４０Ａと拍車クリーナ４１との位置関係は、その係合において所定量の重なりを有するように定められる。すなわち、拍車４０Ａと拍車クリーナ４１との係合において、拍車４０Ａの歯がクリーナ４１の表面にくい込む状態とする。以上の構成によれば、まず、係合において所定量の重なりを有することで、クリーナ４１の径の精度がそれ程高くなくても所定の係合状態を得ることができる。」（第７頁左下欄１２行〜右下欄第５行）と記載され、第１乃至９図にインクジェット記録装置の各拍車と各拍車クリーナ等の構成及びそれらの支持構成等を示す図が記載されている。
　これらの記載から、上記刊行物には、結局、「記録ヘッド１により印字された記録紙６の印字面と接触して当該記録紙６を排紙ローラ４に押圧し当該排紙ローラ４と協働して排紙方向に送り可能な複数個の拍車４０Ａと、各拍車４０Ａを排紙ローラ４より退避可能なるように、トップカバー５１の軸支部材５１Ａの軸留め部５１０Ａに嵌合された拍車軸４３に回動自在に支持された拍車ホルダ４２によって、回動自在に支持される支持構成と、上記拍車ホルダ４２に回動軸４１Ａを介して回転支持され各拍車４０Ａと接触して当該拍車４０Ａに付着したインクを除去する複数個の拍車クリーナ４１とを有するインクジェット記録装置において、回動軸４１Ａを各拍車クリーナ４１が独立して回転可能なるように分割し、かつ分割された回動軸４１Ａを、回転支持するばか穴とした軸穴４２Ｃを上記拍車ホルダ４２に設けて、各拍車ホルダ４２の回動作用とともに、各拍車クリーナ４１が各拍車４０Ａと接触した状態を維持しつつ追従移動可能なるようにしたインクジェット記録装置」が記載されている。
（対比・判断）
　本件発明と上記刊行物に記載された発明とを対比すると、上記刊行物に記載の「記録ヘッド」、「記録紙６」、「排紙ローラ４」、「拍車４０Ａ」、「回動軸４１Ａ」、「拍車クリーナ４１」「軸穴４２Ｃ」及び「インクジェット記録装置」は、それぞれ、本件発明の「印字ヘッド」、「用紙」、「排紙ローラ」、「拍車」、「ローラ支軸」、「クリーニングローラ」、「（第２）軸受部」及び「インクジェットプリンタ」に相当しているから、両者は、「印字ヘッドにより印字された用紙の印字面と接触して当該用紙を排紙ローラに押圧し当該排紙ローラと協働して排紙方向に送り可能な複数個の拍車と、各拍車を排紙ローラより退避可能なるように回転支持する支持構成と、ローラ支軸を介して回転支持され各拍車と接触して当該拍車に付着したインクを除去する複数個のクリーニングローラとを有するインクジェットプリンタにおいて、ローラ支軸を各クリーニングローラが独立して回転可能なるように分割し、かつ分割されたローラ支軸を各クリーニングローラが移動可能なるように回転支持する軸受部を設けたインクジェットプリンタ」である点で一致し、次の点で相違している。
　〔相違点１〕
　各拍車を排紙ローラより退避可能となるように回転支持する構成が、上記引用刊行物に記載のものが、トップカバー５１の軸支部材５１Ａの軸留め部５１０Ａに嵌合された拍車軸４３に回動自在に支持された拍車ホルダ４２によって回動自在に支持される構成であるのに対して、本件発明は溝部を有する軸受部である点、
　〔相違点２〕
　各クリーニングローラが各拍車と接触した状態を維持しつつ追従移動可能なるように回転支持する構成が、上記引用刊行物に記載のものが、トップカバー５１の軸支部材５１Ａの軸留め部５１０Ａに嵌合された拍車軸４３に回動自在に支持された拍車ホルダ４２に、各拍車を回動自在に支持させるとともに、上記拍車ホルダに設けられた軸受部に、各クリーニングローラのローラ支軸を回転支持させているのに対して、本件発明は、各クリーニングローラのローラ支軸を長尺保持部材に設けた第２軸受部、すなわち、各拍車の軸受け部とは異なる別の軸受け部に回転支持させた点。
　上記相違点１，２について検討する。
　上記刊行物には、本件発明の上記相違点１，２の構成について、記載されていなく、また示唆する記載もない。
　相違点２について、異議申立人は、上記刊行物の「拍車ホルダ４２」あるいは「拍車ホルダ４２に設けられた軸穴４２Ｃ」が本件発明の「第２軸受部」に相当する旨の主張をしているが、「拍車ホルダ４２」と「拍車ホルダ４２に設けられた軸穴４２Ｃ」は、両者が相俟って、各クリーニングローラが各拍車と接触した状態を維持しつつ追従移動可能なるように機能しているものであるから、本件発明の「第２軸受部」に相当しているとはいえず、該主張は採用できない。
　そして、本件発明は、上記相違点１，２の構成を備えることにより、特許明細書に記載の作用効果を奏するものと認める。
　ゆえに、本件発明は、上記刊行物に記載された発明と同一であるということができないばかりでなく、上記刊行物に記載のものに基づいて容易に発明をすることができたものとはいえない。
　したがって、本件発明は、特許出願の際独立して特許を受けることができるものと認める。
（４）むすび
　以上のとおりであるから、上記訂正は、特許法１２０条の４第２項及び同条第３項で準用する同法第１２６条第２乃至４項の規定に適合するので、当該訂正を認める。
ＩＩＩ．特許異議申し立てについての判断
（１）申立の理由の概要
　異議申立人は、甲第１号証（特開平３−１９３４８０号公報＝上記刊行物）を提出し、本件特許請求の範囲の請求項１に係る発明は、甲第１号証に記載された発明と同一又は同号証に記載のものに基づいて当業者が容易に発明をすることができた旨主張するしている。
（２）判断
　異議申立人が提出した甲第１号証は、上記ＩＩ（３）の（引用刊行物）の刊行物と同一であるから、その判断も上記ＩＩ（３）のとおりである。
（３）むすび
　以上のとおりであるから、特許異議申し立ての理由及び証拠方法によっては、本件請求項１に係る発明の特許を取り消すことができない。
　また、他に本件請求項１に係る発明の特許を取り消すべき理由を発見しない。
　よって、結論のとおり決定する。
【異議決定日】
平成１１年９月６日（１９９９．９．６）
【訂正の要旨】
訂正の要旨
　訂正事項
　特許請求の範囲を
「【請求項１】印字ヘッドにより印字された用紙の印字面と接触して当該用紙を排紙ローラに押圧し当該排紙ローラと協働して排紙方向に送り可能な複数個の拍車と、各拍車を排紙ローラより退避可能なるように回転支持する第１軸受部と、長尺保持部材にローラ支軸を介して回転支持され各拍車と接触して当該拍車に付着したインクを除去する複数個のクリーニングローラとを有するインクジェットプリンタにおいて、
当該第１軸受部は拍車を排紙ローラより退避可能なるように回転支持する溝部を有し
と訂正する。
（５４）【発明の名称】
インクジェットプリンタ
（５７）【特許請求の範囲】
　【請求項１】　印字ヘッドにより印字された用紙の印字面と接触して当該用紙を排紙ローラに押圧し当該排紙ローラと協働して排紙方向に送り可能な複数個の拍車と、各拍車を排紙ローラより退避可能なるように回転支持する第１軸受部と、長尺保持部材にローラ支軸を介して回転支持され各拍車と接触して当該拍車に付着したインクを除去する複数個のクリーニングローラとを有するインクジェットプリンタにおいて、
当該第１軸受部は拍車を排紙ローラより退避可能なるように回転支持する溝部を有し
【発明の詳細な説明】
　【０００１】
　【産業上の利用分野】
　本発明は、インクジェットプリンタに関する。
　【０００２】
　【従来の技術】
　インク滴を噴射する印字ヘッドにより印字を行うインクジェットプリンタでは、印字済用紙を排出するための排紙ローラに当該用紙を圧接する押圧ローラとして歯の薄い拍車が用いられている。これは、上記プリンタでは、インクが乾ききらない用紙が排紙ローラに到達する場合があるので、押圧ローラを通常の円筒形のローラとしたのでは当該ローラの周面に用紙の印字面からインクが転写され、それがローラの一回転の後に用紙に再転写されて用紙が汚れてしまうからである。
　【０００３】
　かかるインクジェットプリンタの従来構成を図５に示す。図において、２は印字ヘッドである。この印字ヘッド２は、図示しないキャリアによって図中紙面と直交する方向に移動され印字部Ｃに給送されてきた用紙にインク滴を噴射して印字可能に構成されている。
　【０００４】
　また、３はフィードローラで、リーフプレート４と協働して用紙トレイ６からカセット用紙や手差し用紙を印字部Ｃへ給送可能に構成されている。また、１０Ａは用紙排出装置で、印字ヘッド２により印字された用紙（印字済用紙）を排紙方向（矢印Ｅ方向）に送り付勢可能な排紙ローラ１１と、印字済用紙の印字面と接触して当該用紙を排紙ローラ１１に押圧（圧接）する複数個の拍車１２とを含み構成されている。
　【０００５】
　具体的には、排紙ローラ１１は、印字ヘッド２より用紙搬送方向下流において矢印方向に回転可能に設けられている。また、各拍車１２には、支軸１２ａを介して拍車ホルダ１３に回転自在に設けられており、スプリング１４によって排紙ローラ１１へ所定圧力で圧接されている。なお、拍車ホルダ１３は、用紙幅方向（図５中紙面と直交方向）に長く伸延しており、プリンタ本体（図示省略）に適宜な固定手段を用いて取付けられている。
　【０００６】
　したがって、印字済用紙は、排紙ローラ１１と拍車１２との協働により排紙方向（Ｅ方向）へ送られ用紙受け部１９へ印字面を上にした状態で排紙される。
　【０００７】
　通常、拍車ホルダ１３には、図６に示す如く、各拍車１２と接触して当該拍車１２周面に付着したインクを除去する複数個（ここでは６個）のクリーニングローラ１５が設けられる。各クリーニングローラ１５は、ローラ支軸１６を介して拍車ホルダ１３に回転支持されている。したがって、ローラ支軸１６が回転されると、各クリーニングローラ１５は同期的に当該支軸１６軸心を中心として回転される。
　【０００８】
　【発明が解決しようとする課題】
　ところで、上記インクジェットプリンタにおいては、拍車ホルダ１３は印字済用紙幅寸法に合わせて長尺物とされており、製造時などに湾曲しやすい。拍車ホルダ１３が湾曲している場合、拍車１２の支軸１２ａとクリーニングローラ１５のローラ軸１６とは平行とはならずクリーニングローラ１５の中には拍車１２と接触しないものが生じることがある。そのため、各拍車１２に付着したインクを全て効果的に除去できず、インク除去が不十分な拍車１２から印字済用紙の印字面にインクが再転写されてしまう事態が発生することがある。
　【０００９】
　また、排紙ローラ１１と拍車１２との間に部厚い用紙（例えば封筒）が送られてきた場合、拍車１２が排紙ローラ１１と離隔する方向へ退避しようとしても、クリーニングローラ１５が当該拍車１２の退避動作を妨げるため当該拍車１２は円滑回転されなくなってしまい用紙排出に支障を来たす場合がある。
　【００１０】
　本発明の目的は、上記事情に鑑み、拍車に付着したインクを完全に除去することができ、かつ部厚い用紙も円滑に排紙することができるインクジェットプリンタを提供することにある。
　【００１１】
　【課題を解決するための手段】
　本発明に係るインクジェットプリンタは、印字ヘッドにより印字された用紙の印字面と接触して当該用紙を排紙ローラに押圧し当該排紙ローラと協働して排紙方向に送り可能な複数個の拍車と、各拍車を排紙ローラより退避可能なるように回転支持する第１軸受部と、長尺保持部材にローラ支軸を介して回転支持され各拍車と接触して当該拍車に付着したインクを除去する複数個のクリーニングローラとを有するインクジェットプリンタにおいて、
当該第１軸受部は拍車を排紙ローラより退避可能なるように回転支持する溝部を有し
　【００１２】
　【作用】
　上記構成による本発明では、各クリーニングローラは、それそれ分割されたローラ支軸を介して長尺保持部材の第２軸受部に回転支持されている。したがって、長尺保持部材が湾曲している場合でも、各クリーニングローラは独立して対応する各拍車と接触することになり、全ての拍車に付着したインクを完全に除去することができる。
　【００１３】
　また、各拍車と排紙ローラとの間に部厚い印字済用紙（例えば封筒）が送られてきた場合、各拍車は当該用紙に押されて排紙ローラより退避するが、各クリーニングローラは当該各拍車の退避動作に追従して移動する。したがって、各拍車の退避動作が各クリーニングローラによって妨げられることはなく、円滑に印字済用紙（封筒）を排紙方向に送り付勢することができる。
　【００１４】
　したがって、拍車に付着したインクを完全に除去することができ、かつ部厚い用紙も円滑に排紙することができる。
　【００１５】
　【実施例】
　以下、本発明の実施例を図面を参照して説明する。本インクジェットプリンタは、図１〜図４に示す如く、基本的構成が従来例と同様とされ、ローラ支軸１６を各クリーニングローラ１５が独立して回転可能なるように分割し、かつ分割されたローラ支軸１６を各クリーニングローラ１５が各拍車１２と接触した状態を維持しつ追従移動可能なるように回転支持する第２軸受部２５を長尺保持部材（拍車ホルダ１３）に設けた構成とされている。なお、従来例（図５，６）と共通する構成要素については同一の符号を付し、その説明を簡略または省略する。
　【００１６】
　ここで、長尺保持部材としての拍車ホルダ１３には、複数個（本実施例では６個）の拍車１２を排紙ローラ１１より退避可能なるように回転支持する複数個（６個）の第１軸受部２２が設けられている。各第１軸受部２２は、用紙幅方向（Ｙ方向）に所定間隔だけ離れて配設されている。また、各第１軸受部２２は、図２中左端部が開口されており、水平方向に対して傾斜して形成されている。各第１軸受部２２の溝部２３の傾斜角度は、各拍車１２が自重により排紙ローラ１１と所定圧力で接触し、かつ排紙ローラ１１より円滑に退避可能なるように選択されている。本実施例では、傾斜角度は２５゜とされている。また、拍車ホルダ１３の両端部には、図１に示す如く、それそれホルダカバー３１を着脱自在に装着するための係合凹部１７および突起部１８が設けられている。
　【００１７】
　また、拍車ホルダ１３には、複数個（本実施例では６個）の第２軸受部２５が各拍車１２に対応して用紙幅方向（矢印Ｙ方向）に所定の間隔で設けられている。各第２軸受部２５は、図１，３に示す如く、対向配設された溝部２７，２７を有する軸受部２６，２６より形成されている。各軸受部２６の溝部２７は、図２に示す如く、図中左端部が開口されており、水平方向に対して傾斜して形成されている。各軸受部２６の溝部２７の傾斜角度θは、各クリーニングローラ１５が拍車１２と円滑に追従して移動し得るように選択されている。本実施例では、傾斜角度θは２５゜とされている。
　【００１８】
　また、各クリーニングローラ１５は、それそれ分割ローラ支軸１６ａを介して拍車ホルダ１３の各第２軸受部２５の溝部２７，２７に摺動自在に嵌装されている。本実施例では、各クリーニングローラ１５は、図４に示す如く、外周面が面研磨された厚さｔ＝４ｍ
ｍ
　【００１９】
　また、ホルダカバー３１は、拍車ホルダ１３に各クリーニングローラ１５を外部から覆うように着脱自在に装着されている。ホルダカバー３１には、拍車ホルダ１３の係合凹部１７および突起部１８に対応してフック部３７および穴部３８が形成されている。したがって、ホルダカバー３１は、その穴部３８に突起部１８を嵌挿させかつフック部３７を拍車ホルダ１３の係合穴部１７に係上させることにより当該拍車ホルダ１３に装着される。
　【００２０】
　また、ホルタカバー３１には、図２に示す如く、各クリーニングローラ１５の溝部２７，２７開口部に向けての移動を規制するリブ３２，３２が設けられている。かかるリブ３２，３２により各クリーニングローラ１５の溝部２７，２７開口部へ向けての移動が規制され、当該ローラ１５周面がカバー３１裏面と接触して回転不能となってしまうのを防止することができる。
　【００２１】
　次に作用について説明する。各クリーニングローラ１５は、分割ローラ支軸１６ａを介して拍車ホルダ１３の各第２軸受部２５に回転支持されている。したがって、拍車ホルダ１３が用紙幅方向（Ｙ方向）に湾曲している場合でも、各クリーニングローラ１５は自重により独立して対応する各拍車１２と接触することになり、全ての拍車１２に付着したインクを完全に除去できる。
　【００２２】
　また、各拍車１２と排紙ローラ１１との間に部厚い印字済用紙（例えば封筒）Ｐが送られてきた場合、各拍車１２は当該用紙Ｐに押されて排紙ローラ１１より離隔する方向へ退避するが、各クリーニングローラ１５は当該拍車１２の退避動作に追従して溝部２７，２７開口部へ向けて移動する。したがって、各拍車１２の退避動作が各クリーニングローラ１５によって妨げられることはなく円滑に印字済用紙（封筒）Ｐを排紙方向（Ｅ方向）へ送り付勢することができる。
　【００２３】
　しかして、この実施例によれば、ローラ支軸１６を各クリーニングローラ１５が独立して回転可能なるように分割し、かつ分割されたローラ支軸（１６ａ）を各クリーニングローラ１５が各拍車１２と接触した状態を維持しつつ追従移動可能なるように回転支持する第２軸受部２５を拍車ホルダ１３に設けた構成としたので、各拍車１２に付着したインクを完全に除去することができ、かつ部厚い封筒等の用紙Ｐも円滑に排紙することができる。
　【００２４】
　また、拍車ホルダ１３の各第２軸受部２５の溝部２７，２７の傾斜角度θを各クリーニングローラ１５が円滑に拍車１２に追従して移動できるような角度としたので、当該溝部１７，１７の傾斜効果によりローラ１５を垂直に持上げる場合に比し格段に弱い力で持上げることができ、一段と部厚い封筒等の用紙を円滑Ｐに排紙することができる。
　【００２５】
　【発明の効果】
　本発明によれば、ローラ支軸を各クリーニングローラが独立して回転可能なるように分割し、かつ分割されたローラ支軸を各クリーニングローラが各拍車と接触した状態を維持しつつ追従移動可能なるように回転支持する第２軸受部を長尺保持部材に設けた構成としたので、各拍車に付着したインクを完全に除去することができ、かつ部厚い封筒等の用紙も円滑に排紙することができる。
【図面の簡単な説明】
　　【図１】
　本発明の実施例の要部を説明するための斜視図である。
　　【図２】
　同じく、拍車ホルダの第１，第２軸受部に回転支持された拍車，クリーニングローラを示す図である。
　　【図３】
　同じく、第２軸受部が設けられた拍車ホルダと当該ホルダに取り付けられる各クリーニングローラとホルダカバーとを説明するための斜視図である。
　　【図４】
　同じく、拍車とクリーニングローラとの位置関係を説明するための図である。
　　【図５】
　従来のインクジェットプリンタの概略構成を説明するための図である。
　　【図６】
　従来のインクジェットプリンタのクリーニングローラの配設状況を説明するための斜視図である。
　【符号の説明】
１１　　　排紙ローラ
１２　　　拍車
１３　　　拍車ホルダ（長尺保持部材）
１５　　　クリーニングローラ
１６　　　ローラ支軸
２２　　　第１軸受部
２５　　　第２軸受部